(57)【要約】  本願の実施例はデータ伝送方法、端末装置及びネットワーク装置を提供し、該方法は、端末装置がネットワーク装置へ第１データを少なくとも１回伝送することと、前記端末装置が前記ネットワーク装置から送信された第１指示情報を受信し、前記第１指示情報は前記第１データの少なくとも１回の伝送のうちの１回の伝送を示すことに用いられることと、前記端末装置が前記第１指示情報に基づき、第２データの伝送パラメータを決定することと、前記端末装置が前記第２データの伝送パラメータを用いて、前記ネットワーク装置へ前記第２データを伝送することと、を含む。
2020532148.tif 000002
【特許請求の範囲】
【請求項１】
データ伝送方法であって、
端末装置はネットワーク装置へ第１データを少なくとも１回伝送することと、
前記端末装置は前記ネットワーク装置から送信された第１指示情報を受信し、前記第１指示情報は前記第１データの少なくとも１回の伝送のうちの１回の伝送を示すことに用いられることと、
前記端末装置は前記第１指示情報に基づき、第２データの伝送パラメータを決定することと、
前記端末装置は前記第２データの伝送パラメータを用いて、前記ネットワーク装置へ前記第２データを伝送することと、を含むことを特徴とするデータ伝送方法。
【請求項２】
前記第１データは前記端末装置の自主的に送信したデータであることを特徴とする請求項１に記載の方法。
【請求項３】
前記端末装置がネットワーク装置へ第１データを少なくとも１回伝送することは、
前記端末装置が異なる伝送方式で前記ネットワーク装置へ前記第１データを複数回伝送することを含むことを特徴とする請求項１又は２に記載の方法。
【請求項４】
前記端末装置が異なる伝送方式で前記ネットワーク装置へ前記第１データを複数回伝送することは、
前記端末装置が異なる多入力多出力ＭＩＭＯ伝送モードで前記ネットワーク装置へ前記第１データを複数回伝送することを含むことを特徴とする請求項３に記載の方法。
【請求項５】
前記端末装置が異なる伝送方式で前記ネットワーク装置へ前記第１データを複数回伝送することは、
前記端末装置が異なるアンテナポートを用いて前記ネットワーク装置へ前記第１データを複数回伝送することを含むことを特徴とする請求項３又は４に記載の方法。
【請求項６】
前記端末装置が異なる伝送方式で前記ネットワーク装置へ前記第１データを複数回伝送することは、
前記端末装置が異なるプレコーディングマトリックスを用いて前記ネットワーク装置へ前記第１データを複数回伝送することを含むことを特徴とする請求項３〜５のいずれか１項に記載の方法。
【請求項７】
前記端末装置が異なる伝送方式で前記ネットワーク装置へ前記第１データを複数回伝送することは、
前記端末装置が異なるアンテナアレイブロックを用いて前記ネットワーク装置へ前記第１データを複数回伝送することを含むことを特徴とする請求項３〜６のいずれか１項に記載の方法。
【請求項８】
前記端末装置が異なる伝送方式で前記ネットワーク装置へ前記第１データを複数回伝送することは、
前記端末装置が異なるビームを用いて前記ネットワーク装置へ前記第１データを複数回伝送することを含むことを特徴とする請求項３〜７のいずれか１項に記載の方法。
【請求項９】
前記端末装置が異なる伝送方式で前記ネットワーク装置へ前記第１データを複数回伝送することは、
前記端末装置が異なる送信電力を用いて前記ネットワーク装置へ前記第１データを複数回伝送することを含むことを特徴とする請求項３〜８のいずれか１項に記載の方法。
【請求項１０】
前記端末装置が異なる伝送方式で前記ネットワーク装置へ前記第１データを複数回伝送することは、
前記端末装置が異なる復調用参照信号ＤＭＲＳシーケンスを用いて前記ネットワーク装置へ前記第１データを複数回伝送することを含むことを特徴とする請求項３〜９のいずれか１項に記載の方法。
【請求項１１】
前記異なる伝送方式は第１伝送方式を含み、前記端末装置が異なる伝送方式で前記ネットワーク装置へ前記第１データを複数回伝送することは、
前記端末装置が第１伝送方式及び第１対応関係に基づき、前記第１伝送方式に対応する第１リソースプールを決定し、前記第１対応関係は複数の伝送方式と複数のリソースプールとの対応関係であり、各伝送方式に対応するリソースプールが異なることと、
前記第１リソースプールにおいて、前記第１伝送方式で前記ネットワーク装置へ前記第１データを伝送することと、を含むことを特徴とする請求項３〜１０のいずれか１項に記載の方法。
【請求項１２】
前記端末装置が前記複数回の伝送を行う際に用いる伝送方式は前記ネットワーク装置が前記端末装置に予め設定したものであり、又は前記端末装置と前記ネットワーク装置とが予め取り決めたものであり、又は前記端末装置が決定したものであることを特徴とする請求項３〜１１のいずれか１項に記載の方法。
【請求項１３】
前記端末装置が前記ネットワーク装置から送信された第１指示情報を受信することは、
前記端末装置が前記ネットワーク装置から送信された、前記第１指示情報を含む前記第２データをスケジューリングするためのダウンリンク制御情報ＤＣＩを受信することを含むことを特徴とする請求項１〜１２のいずれか１項に記載の方法。
【請求項１４】
前記端末装置が前記第１指示情報に基づき、第２データの伝送パラメータを決定することは、
前記端末装置が前記第１指示情報で示された前記１回の伝送に用いられた伝送パラメータを前記第２データの伝送パラメータとして決定することを含むことを特徴とする請求項１〜１３のいずれか１項に記載の方法。
【請求項１５】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項１〜１４のいずれか１項に記載の方法。
【請求項１６】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項１〜１５のいずれか１項に記載の方法。
【請求項１７】
データ伝送方法であって、
ネットワーク装置は端末装置から少なくとも１回伝送した第１データを受信することと、
前記ネットワーク装置は前記端末装置に第１指示情報を送信し、前記第１指示情報は前記第１データの少なくとも１回の伝送のうちの１回の伝送を示すことに用いられ、前記第１指示情報は前記端末装置が第２データの伝送パラメータを決定することに用いられることと、
前記ネットワーク装置は前記端末装置から前記第２データの伝送パラメータを用いて送信した前記第２データを受信することと、を含むことを特徴とするデータ伝送方法。
【請求項１８】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項１７に記載の方法。
【請求項１９】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項１７又は１８に記載の方法。
【請求項２０】
前記第１指示情報は、具体的に、前記ネットワーク装置の決定した前記少なくとも１回の伝送のうちの伝送品質が最も高い１回の伝送を示すことに用いられることを特徴とする請求項１７〜１９のいずれか１項に記載の方法。
【請求項２１】
端末装置であって、
ネットワーク装置へ第１データを少なくとも１回伝送し、前記ネットワーク装置から送信された、前記第１データの少なくとも１回の伝送のうちの１回の伝送を示すための第１指示情報を受信することに用いられる通信モジュールと、
前記第１指示情報に基づき、第２データの伝送パラメータを決定することに用いられる決定モジュールと、を備え、
前記通信モジュールは、更に、前記第２データの伝送パラメータを用いて、前記ネットワーク装置へ前記第２データを伝送することに用いられることを特徴とする端末装置。
【請求項２２】
前記第１データは前記端末装置の自主的に送信したデータであることを特徴とする請求項２１に記載の端末装置。
【請求項２３】
前記通信モジュールは、更に、
異なる伝送方式で前記ネットワーク装置へ前記第１データを複数回伝送することに用いられることを特徴とする請求項２１又は２２に記載の端末装置。
【請求項２４】
前記通信モジュールは、具体的に、
異なる多入力多出力ＭＩＭＯ伝送モードで前記ネットワーク装置へ前記第１データを複数回伝送することに用いられることを特徴とする請求項２３に記載の端末装置。
【請求項２５】
前記通信モジュールは、更に、
異なるアンテナポートを用いて前記ネットワーク装置へ前記第１データを複数回伝送することに用いられることを特徴とする請求項２３又は２４に記載の端末装置。
【請求項２６】
前記通信モジュールは、更に、
異なるプレコーディングマトリックスを用いて前記ネットワーク装置へ前記第１データを複数回伝送することに用いられることを特徴とする請求項２３〜２５のいずれか１項に記載の端末装置。
【請求項２７】
前記通信モジュールは、更に、
異なるアンテナアレイブロックを用いて前記ネットワーク装置へ前記第１データを複数回伝送することに用いられることを特徴とする請求項２３〜２６のいずれか１項に記載の端末装置。
【請求項２８】
前記通信モジュールは、更に、
異なるビームを用いて前記ネットワーク装置へ前記第１データを複数回伝送することに用いられることを特徴とする請求項２３〜２７のいずれか１項に記載の端末装置。
【請求項２９】
前記通信モジュールは、更に、
異なる送信電力を用いて前記ネットワーク装置へ前記第１データを複数回伝送することに用いられることを特徴とする請求項２３〜２８のいずれか１項に記載の端末装置。
【請求項３０】
前記通信モジュールは、更に、
異なる復調用参照信号ＤＭＲＳシーケンスを用いて前記ネットワーク装置へ前記第１データを複数回伝送することに用いられることを特徴とする請求項２３〜２９のいずれか１項に記載の端末装置。
【請求項３１】
前記異なる伝送方式は第１伝送方式を含み、前記決定モジュールは、更に、
第１伝送方式及び第１対応関係に基づき、前記第１伝送方式に対応する第１リソースプールを決定し、前記第１対応関係は複数の伝送方式と複数のリソースプールとの対応関係であり、各伝送方式に対応するリソースプールが異なることに用いられ、
前記通信モジュールは、更に、前記第１リソースプールにおいて、前記第１伝送方式で前記ネットワーク装置へ前記第１データを伝送することに用いられることを特徴とする請求項２３〜３０のいずれか１項に記載の端末装置。
【請求項３２】
前記端末装置が前記複数回の伝送を行う際に用いる伝送方式は前記ネットワーク装置が前記端末装置に予め設定したものであり、又は前記端末装置と前記ネットワーク装置とが予め取り決めたものであり、又は前記端末装置が決定したものであることを特徴とする請求項２３〜３１のいずれか１項に記載の端末装置。
【請求項３３】
前記通信モジュールは、具体的に、
前記ネットワーク装置から送信された、前記第１指示情報を含む前記第２データをスケジューリングするためのダウンリンク制御情報ＤＣＩを受信することに用いられることを特徴とする請求項２１〜３２のいずれか１項に記載の端末装置。
【請求項３４】
前記決定モジュールは、具体的に、
前記第１指示情報で示された前記１回の伝送に用いられた伝送パラメータを前記第２データの伝送パラメータとして決定することに用いられることを特徴とする請求項２１〜３３のいずれか１項に記載の端末装置。
【請求項３５】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項２１〜３４のいずれか１項に記載の端末装置。
【請求項３６】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項２１〜３５のいずれか１項に記載の端末装置。
【請求項３７】
ネットワーク装置であって、
端末装置から少なくとも１回伝送した第１データを受信し、前記端末装置に第１指示情報を送信し、及び前記端末装置が前記第２データの伝送パラメータを用いて送信した前記第２データを受信することに用いられる通信モジュールを備え、前記第１指示情報は前記第１データの少なくとも１回の伝送のうちの１回の伝送を示すことに用いられ、前記第１指示情報は前記端末装置が第２データの伝送パラメータを決定することに用いられることを特徴とするネットワーク装置。
【請求項３８】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項３７に記載のネットワーク装置。
【請求項３９】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項３７又は３８に記載のネットワーク装置。
【請求項４０】
前記第１指示情報は、具体的に、前記ネットワーク装置の決定した前記少なくとも１回の伝送のうちの伝送品質が最も高い１回の伝送を示すことに用いられることを特徴とする請求項３７〜３９のいずれか１項に記載のネットワーク装置。
【発明の詳細な説明】
【技術分野】
【０００１】
本願は通信分野に関し、より具体的に、データ伝送方法、端末装置及びネットワーク装置に関する。
【背景技術】
【０００２】
５Ｇシステムにはグラントフリー（ｇｒａｎｔ−ｆｒｅｅ、割当不要とも称される）に基づくアップリンクデータ伝送方式が導入され、端末装置はネットワーク装置のスケジューリングシグナリングを必要とせずに、アップリンクデータの伝送を自主的に開始することができる。しかしながら、端末装置が現在のアップリンクチャネルの状況を把握しないため、該端末装置が最適な伝送方式を採用できない可能性があり、このため、より高い伝送ゲインを実現することが困難であり、伝送の信頼性は比較的に低い。
【０００３】
従って、アップリンク伝送信頼性を向上させることのできるデータ伝送方法が必要となる。
【発明の概要】
【発明が解決しようとする課題】
【０００４】
本願の実施例はアップリンク伝送信頼性を向上させることのできるデータ伝送方法、端末装置及びネットワーク装置を提供する。
【課題を解決するための手段】
【０００５】
第１態様では、データ伝送方法を提供し、
端末装置はネットワーク装置へ第１データを少なくとも１回伝送することと、
前記端末装置は前記ネットワーク装置から送信された第１指示情報を受信し、前記第１指示情報は前記第１データの少なくとも１回の伝送のうちの１回の伝送を示すことに用いられることと、
前記端末装置は前記第１指示情報に基づき、第２データの伝送パラメータを決定することと、
前記端末装置は前記第２データの伝送パラメータを用いて、前記ネットワーク装置へ前記第２データを伝送することと、を含む。
【０００６】
従って、本願の実施例のデータ伝送方法において、前記端末装置はネットワーク装置へ第１データを少なくとも１回伝送することができ、これにより、前記ネットワーク装置は前記少なくとも１回の伝送の受信状況に基づいて、前記少なくとも１回の伝送から伝送品質が最も高い１回の伝送を決定し、次に前記ネットワーク装置は前記ネットワーク装置の決定した前記１回の伝送を示すための第１指示情報を前記端末装置に送信することができ、これにより、前記端末装置は前記第１指示情報に基づき、第２データの伝送パラメータを決定し、更に前記第２データの伝送パラメータを用いて前記第２データの伝送を行うことができ、それによりアップリンク伝送信頼性を向上させることができる。
【０００７】
第１態様を参照して、第１態様のいくつかの実現方式では、前記第１データは前記端末装置の自主的に送信したデータである。
【０００８】
第１態様を参照して、第１態様のいくつかの実現方式では、前記端末装置がネットワーク装置へ第１データを少なくとも１回伝送することは、
前記端末装置が異なる伝送方式で前記ネットワーク装置へ前記第１データを複数回伝送することを含む。
【０００９】
第１態様を参照して、第１態様のいくつかの実現方式では、前記端末装置が異なる伝送方式で前記ネットワーク装置へ前記第１データを複数回伝送することは、
前記端末装置が異なる多入力多出力ＭＩＭＯ伝送モードで前記ネットワーク装置へ前記第１データを複数回伝送することを含む。
【００１０】
第１態様を参照して、第１態様のいくつかの実現方式では、前記端末装置が異なる伝送方式で前記ネットワーク装置へ前記第１データを複数回伝送することは、
前記端末装置が異なるアンテナポートを用いて前記ネットワーク装置へ前記第１データを複数回伝送することを含む。
【００１１】
例えば、前記端末装置は前記第１データを１回目に伝送する際に第１アンテナポートを用いてもよく、前記第１データを２回目に伝送する際に第２アンテナポートを用いてもよく、前記第１アンテナポートと前記第２アンテナポートとは異なる。
【００１２】
なお、本願の実施例では、前記第１アンテナポートは少なくとも１つのアンテナポートを含んでもよく、前記第２アンテナポートも少なくとも１つのアンテナポートを含んでもよく、前記第１アンテナポートと前記第２アンテナポートとが異なるとは、前記第１アンテナポートに含まれる少なくとも１つのアンテナポートと前記第２アンテナポートに含まれる少なくとも１つのアンテナポートとが部分的に異なり又は全体的に異なることを意味する。
【００１３】
第１態様を参照して、第１態様のいくつかの実現方式では、前記端末装置が異なる伝送方式で前記ネットワーク装置へ前記第１データを複数回伝送することは、
前記端末装置が異なるプレコーディングマトリックスを用いて前記ネットワーク装置へ前記第１データを複数回伝送することを含む。
【００１４】
例えば、前記端末装置はポーリング方式で予め設定されたプレコーディングマトリックス集合から毎回前記第１データを伝送する際に用いるプレコーディングマトリックスを取得することができる。例としてのものであって制限ではないが、前記端末装置はＮ個のプレコーディングマトリックスを含む１つのプレコーディングマトリックス集合を予め記憶してもよく、前記第１データのｋ回目の伝送にあたって、端末装置は前記プレコーディングマトリックス集合におけるインデックスがｍであるプレコーディングマトリックスを利用して前記第１データをプレコーディングすることができ、Ｎは１より大きい整数であり、ｋは１以上の整数であり、ｍ＝（ｋ−１）ｍｏｄ  Ｎである。
【００１５】
第１態様を参照して、第１態様のいくつかの実現方式では、前記端末装置が異なる伝送方式で前記ネットワーク装置へ前記第１データを複数回伝送することは、
前記端末装置が異なるアンテナアレイブロックを用いて前記ネットワーク装置へ前記第１データを複数回伝送することを含む。
【００１６】
選択肢として、前記端末装置はポーリング方式で複数のアンテナアレイブロックから毎回前記第１データを伝送する際に用いるアンテナアレイブロックを取得することができる。例えば、端末装置がＮ個のアンテナアレイブロックを含む場合、前記第１データのｋ回目の伝送にあたって、前記端末装置はインデックス番号がｐであるアンテナアレイブロックによって伝送することができ、Ｎは１より大きい整数であり、ｋは１以上の整数であり、ｐ＝（ｋ−１）ｍｏｄ  Ｎである。
【００１７】
第１態様を参照して、第１態様のいくつかの実現方式では、前記端末装置が異なる伝送方式で前記ネットワーク装置へ前記第１データを複数回伝送することは、
前記端末装置が異なるビームを用いて前記ネットワーク装置へ前記第１データを複数回伝送することを含む。
【００１８】
選択肢として、前記端末装置はポーリング方式で複数のビームから毎回前記第１データを伝送する際に用いるビームを決定することができる。例えば、端末装置はＮ個のビームを予め決定し、Ｎは１より大きい整数であり、前記Ｎ個のビームは前記端末装置がネットワーク装置へデータを伝送することに用いられてもよく、前記端末装置は前記Ｎ個のビームのうちのビームを交替で利用して前記ネットワーク装置へ前記第１データを伝送することができる。例としてのものであって制限ではないが、前記第１データのｋ回目の伝送にあたって、前記Ｎ個のビームのうちのインデックスがｑであるビームを利用して前記第１データを伝送することができ、ｑ＝（ｋ−１）ｍｏｄ  Ｎである。
【００１９】
第１態様を参照して、第１態様のいくつかの実現方式では、前記端末装置が異なる伝送方式で前記ネットワーク装置へ前記第１データを複数回伝送することは、
前記端末装置が異なる送信電力を用いて前記ネットワーク装置へ前記第１データを複数回伝送することを含む。
【００２０】
例えば、電力を節約するために、前記第１データを１回目に伝送するとき、前記端末装置は比較的に低い送信電力を用いてもよく、伝送成功の確率を向上させるために、前記第１データを２回目に伝送するとき、前記端末装置は比較的に高い送信電力を用いてもよく、つまり、最も高い送信電力に達するまで、ｋ＋１回目の伝送でｋ回目の伝送より高い送信電力を用いてもよい。
【００２１】
第１態様を参照して、第１態様のいくつかの実現方式では、前記端末装置が異なる伝送方式で前記ネットワーク装置へ前記第１データを複数回伝送することは、
前記端末装置が異なる復調用参照信号ＤＭＲＳシーケンスを用いて前記ネットワーク装置へ前記第１データを複数回伝送することを含む。
【００２２】
第１態様を参照して、第１態様のいくつかの実現方式では、前記異なる伝送方式は第１伝送方式を含み、前記端末装置が異なる伝送方式で前記ネットワーク装置へ前記第１データを複数回伝送することは、
前記端末装置が第１伝送方式及び第１対応関係に基づき、前記第１伝送方式に対応する第１リソースプールを決定し、前記第１対応関係は複数の伝送方式と複数のリソースプールとの対応関係であり、各伝送方式に対応するリソースプールが異なることと、
前記第１リソースプールにおいて、前記第１伝送方式で前記ネットワーク装置へ前記第１データを伝送することと、を含む。
【００２３】
選択肢として、本願の実施例では、前記対応関係は複数のＭＩＭＯ伝送モードと複数のリソースプールとの対応関係であってもよいし、複数のアンテナポートと複数のリソースプールとの対応関係であってもよく、又は複数の送信電力と複数のリソースプールとの対応関係であってもよい等。
【００２４】
選択肢として、前記端末装置が前記第１データを伝送する際に用いる複数の伝送方式と複数のリソースプールとの対応関係はネットワーク装置が端末装置に予め設定したものであってもよく、前記ネットワーク装置がリソースプールから前記第１データを検出するとき、前記リソースプール及び前記対応関係に基づいて前記端末装置がデータを伝送する際に用いる伝送方式を決定し、それにより決定された前記伝送方式に基づいて前記第１データを受信することができる。
【００２５】
第１態様を参照して、第１態様のいくつかの実現方式では、前記端末装置が前記複数回の伝送を行う際に用いる伝送方式は前記ネットワーク装置が前記端末装置に予め設定したものであり、又は前記端末装置と前記ネットワーク装置とが予め取り決めたものであり、又は前記端末装置が決定したものである。
【００２６】
第１態様を参照して、第１態様のいくつかの実現方式では、前記端末装置が前記ネットワーク装置から送信された第１指示情報を受信することは、
前記端末装置が前記ネットワーク装置から送信された、前記第２データをスケジューリングするためのダウンリンク制御情報ＤＣＩを受信し、前記ＤＣＩは前記第１指示情報を含むことを含む。
【００２７】
第１態様を参照して、第１態様のいくつかの実現方式では、前記端末装置が前記第１指示情報に基づき、第２データの伝送パラメータを決定することは、
前記端末装置が前記第１指示情報で示された前記１回の伝送に用いられた伝送パラメータを前記第２データの伝送パラメータとして決定することを含む。
【００２８】
第１態様を参照して、第１態様のいくつかの実現方式では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【００２９】
第１態様を参照して、第１態様のいくつかの実現方式では、前記第１指示情報は、具体的に、前記１回の伝送の前記少なくとも１回の伝送におけるインデックス、又は前記１回の伝送に用いられたリソース又はリソースインデックスを示すことに用いられる。
【００３０】
第２態様では、データ伝送方法を提供し、ネットワーク装置は端末装置から少なくとも１回伝送した第１データを受信することと、
前記ネットワーク装置は前記端末装置に第１指示情報を送信し、前記第１指示情報は前記第１データの少なくとも１回の伝送のうちの１回の伝送を示すことに用いられ、前記第１指示情報は前記端末装置が第２データの伝送パラメータを決定することに用いられることと、
前記ネットワーク装置は前記端末装置から前記第２データの伝送パラメータを用いて送信した前記第２データを受信することと、を含む。
【００３１】
第２態様を参照して、第２態様のいくつかの実現方式では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【００３２】
第２態様を参照して、第２態様のいくつかの実現方式では、前記第１指示情報は、具体的に、前記１回の伝送の前記少なくとも１回の伝送におけるインデックス、又は前記１回の伝送に用いられたリソース又はリソースインデックスを示すことに用いられる。
【００３３】
第２態様を参照して、第２態様のいくつかの実現方式では、前記第１指示情報は、具体的に、前記ネットワーク装置の決定した前記少なくとも１回の伝送のうちの伝送品質が最も高い１回の伝送を示すことに用いられる。
【００３４】
従って、本願の実施例のデータ伝送方法において、前記ネットワーク装置は端末装置から少なくとも１回伝送された第１データを受信し、前記少なくとも１回の伝送の受信状況に基づいて、前記少なくとも１回の伝送から伝送品質が最も高い１回の伝送を決定し、それから前記ネットワーク装置の決定した前記１回の伝送を示すための第１指示情報を前記端末装置に送信することができ、これにより、前記端末装置は前記第１指示情報に基づき、第２データの伝送パラメータを決定し、更に前記第２データの伝送パラメータを用いて前記ネットワーク装置へ前記第２データを伝送することができ、それによりアップリンク伝送信頼性を向上させることができる。
【００３５】
第３態様では、上記第１態様又は第１態様の任意の可能な実現方式における方法を実行するための端末装置を提供する。具体的に、該端末装置は上記第１態様又は第１態様の任意の可能な実現方式における方法を実行するためのユニットを備える。
【００３６】
第４態様では、上記第２態様又は第２態様の任意の可能な実現方式における方法を実行するためのネットワーク装置を提供する。具体的に、該ネットワーク装置は上記第２態様又は第２態様の任意の可能な実現方式における方法を実行するためのユニットを備える。
【００３７】
第５態様では、端末装置を提供し、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第１態様又は第１態様の任意の可能な実現方式における方法を実行することに用いられる。
【００３８】
第６態様では、ネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第２態様又は第２態様の任意の可能な実現方式における方法を実行することに用いられる。
【００３９】
第７態様では、コンピュータ記憶媒体を提供し、該コンピュータ記憶媒体は、上記第１態様又は第１態様の任意の可能な実現方式における方法、又は上記第２態様又は第２態様の任意の可能な実現方式における方法を実行するためのコンピュータソフトウェア命令を記憶することに用いられ、該コンピュータソフトウェア命令には上記態様を実行するために設計されたプログラムが含まれる。
【００４０】
第８態様では、命令を含むコンピュータプログラム製品を提供し、該コンピュータプログラム製品がコンピュータにおいて実行されるとき、コンピュータに上記第１態様又は第１態様の任意の可能な実現方式における方法、又は上記第２態様又は第２態様の任意の可能な実現方式における方法を実行させる。
【図面の簡単な説明】
【００４１】
【図１】図１は本願の実施例に係る通信システムの模式図である。
【図２】図２は本願の実施例に係るデータ伝送方法の模式的なフローチャートである。
【図３】図３は本願の実施例に係るデータ伝送装置の模式的なブロック図である。
【図４】図４は本願の実施例に係る端末装置の模式的なブロック図である。
【図５】図５は本願の実施例に係るネットワーク装置の模式的なブロック図である。
【図６】図６は本願の別の実施例に係る端末装置の模式的なブロック図である。
【図７】図７は本願の別の実施例に係るネットワーク装置の模式的なブロック図である。
【発明を実施するための形態】
【００４２】
以下、本願の実施例の図面を参照しながら、本願の実施例の技術案を説明する。
【００４３】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００４４】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的区域に通信カバレッジを提供することができ、且つ該カバレッジ区域内の端末装置（例えば、ＵＥ）と通信することができる。選択肢として、該ネットワーク装置１００はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側機器又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００４５】
該無線通信システム１００は更にネットワーク装置１１０のカバレッジ範囲内の少なくとも１つの端末装置１２０を備える。端末装置１２０は可動であっても又は固定であってもよい。選択肢として、端末装置１２０はアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００４６】
選択肢として、端末装置１２０同士が装置対装置（Ｄ２Ｄ、Ｄｅｖｉｃｅ  ｔｏ  Ｄｅｖｉｃｅ）通信を行うことができる。
【００４７】
選択肢として、５Ｇシステム又はネットワークは更に新無線（ＮＲ、Ｎｅｗ  Ｒａｄｉｏ）システム又はネットワークと称されてもよい。
【００４８】
図１には１つのネットワーク装置及び２つの端末装置を例示的に示し、選択肢として、該無線通信システム１００は複数のネットワーク装置を備えてもよく、且つ各ネットワーク装置のカバレッジ範囲内には他の数の端末装置が含まれてもよく、本願の実施例はそれを制限しない。
【００４９】
無線通信システム１００では、端末装置は自主的なアップリンク伝送方式とも称されるｇｒａｎｔ−ｆｒｅｅに基づくアップリンクデータ伝送方式を用いて、他の端末装置又はネットワーク装置へデータを送信することができる。ｇｒａｎｔ−ｆｒｅｅに基づくアップリンク伝送方式を用いれば、端末装置は他の装置のスケジューリング命令を受信せずに、他の端末装置又はネットワーク装置へデータを自主的に送信することができる。
【００５０】
選択肢として、該無線通信システム１００は更にネットワーク制御装置、モビリティ管理エンティティ等の他のネットワークエンティティを備えてもよく、本願の実施例はそれを制限しない。
【００５１】
理解すべきのように、本明細書における用語「システム」と「ネットワーク」は常に互いに交換可能なように使用されている。本明細書における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５２】
図２は本願の実施例に係るデータ伝送方法２００の模式的なフローチャートであり、図２に示すように、前記方法２００は以下のＳ２１０〜Ｓ２４０を含む。
【００５３】
Ｓ２１０では、端末装置はネットワーク装置へ第１データを少なくとも１回伝送する。
【００５４】
前記端末装置は図１に示される無線通信システムにおける端末装置であってもよく、前記ネットワーク装置は図１に示される無線通信システムにおけるネットワーク装置であってもよい。
【００５５】
具体的に、前記端末装置はネットワーク装置へ前記第１データを１回伝送してもよく、または前記ネットワーク装置へ前記第１データを複数回伝送してもよく、前記第１データは前記端末装置が自主的に送信したデータであり、言い換えれば、前記第１データは端末装置がｇｒａｎｔ−ｆｒｅｅに基づくアップリンク伝送方式で送信したデータである。
【００５６】
選択肢として、前記端末装置が自主的に送信した前記第１データはネットワーク装置のスケジューリング命令を受信せずに送信されたものであってもよいし、またはネットワーク装置の肯定確認／否定確認（ＡＣＫ／ＮＡＣＫ、Ａｃｋｎｏｗｌｅｄｇｅｍｅｎｔ／Ｎｅｇａｔｉｖｅ  ＡＣＫｎｏｗｌｅｄｇｅｍｅｎｔ）情報を受信せずに送信されたものであってもよい。例えば、前記第１データは端末装置がネットワーク装置のアップリンクグラント（ＵＬ  ｇｒａｎｔ）に基づかずに行ったアップリンクｇｒａｎｔ−ｆｒｅｅの伝送であってもよく、この場合、端末装置はネットワーク装置がダウンリンク制御チャネルを介して送信したダウンリンク制御情報（ＤＣＩ、Ｄｏｗｎｌｉｎｋ  Ｃｏｎｔｒｏｌ  Ｉｎｆｏｒｍａｔｉｏｎ）を検出する必要がなく、前記第１データの１回又は複数回の伝送を自主的に行うことができる。
【００５７】
前記第１データの少なくとも１回の伝送が複数回の伝送を含む場合、更に、前記Ｓ２１０は、
前記端末装置が異なる伝送方式で前記ネットワーク装置へ前記第１データを複数回伝送することを含んでもよい。
【００５８】
つまり、前記端末装置は異なる伝送方式で前記第１データの複数回の伝送を行ってもよく、言い換えれば、毎回の伝送に対応する伝送方式が異なる。
【００５９】
理解すべきのように、本願の実施例では、前記複数回の伝送により伝送されるパケットは完全に同じであってもよいし、完全に同じでなくてもよいが、いずれも少なくとも前記第１データを含む。例えば、端末装置が１回目に伝送する際に伝送したパケットは第１データ及び第３データを含んでもよく、２回目に伝送する際に伝送したパケットは第１データ及び第４データを含んでもよい。
【００６０】
異なるＭＩＭＯ伝送モードの伝送性能への影響が異なるため、前記端末装置が異なる伝送モードでネットワーク装置へ前記第１データを複数回伝送し、前記ネットワーク装置は前記複数回の伝送の受信状況に基づいて、前記複数回の伝送から伝送品質が最も高い１回の伝送を決定することができ、更に、前記ネットワーク装置は端末装置へ第１指示情報を送信することにより、伝送品質が最も高い１回の伝送を前記端末装置に通知することができ、これにより、前記端末装置は伝送品質が最も高い前記１回の伝送に用いる伝送パラメータに基づき、以降にデータ伝送を行う際に用いる伝送パラメータを決定することができ、それによりアップリンク伝送信頼性を向上させることができる。
【００６１】
選択肢として、一つの実施例として、前記端末装置が異なる伝送方式で前記ネットワーク装置へ前記第１データを複数回伝送することは、
前記端末装置が異なる多入力多出力ＭＩＭＯ伝送モードで前記ネットワーク装置へ前記第１データを複数回伝送することを含む。
【００６２】
多入力多出力（ＭＩＭＯ、Ｍｕｌｔｉｐｌｅ−Ｉｎｐｕｔ  Ｍｕｌｔｉｐｌｅ−Ｏｕｔｐｕｔ）伝送モードとは具体的に信号を伝送する際に用いるＭＩＭＯ技術を指し、例えば、ＭＩＭＯ伝送モードは送信ダイバーシティ、コードブックに基づくプレコーディング、非コードブックに基づくプレコーディング、シングルアンテナポートによる伝送及びビームフォーミング等の伝送モードを含んでもよい。
【００６３】
具体的には、前記端末装置が前記第１データを複数回伝送する際に異なるＭＩＭＯ伝送モードを用いてもよい。例えば、前記複数回の伝送が２回の伝送を含み、前記端末装置が前記第１データの２回の伝送を行う際にそれぞれ上記ＭＩＭＯ伝送モードにおける２つの伝送モードを用いてもよく、例としてのものであって制限ではないが、前記端末装置が前記第１データを１回目に伝送する際に非コードブックプレコーディング（ｎｏｎ−ｃｏｄｅｂｏｏｋ  ｂａｓｅｄ  ｐｒｅｃｏｄｉｎｇ）に基づくＭＩＭＯ伝送モードを用いてもよく、前記第１データを２回目に伝送する際に送信ダイバーシティのＭＩＭＯ伝送モードを用いてもよい。
【００６４】
異なるＭＩＭＯ伝送モードを用いるため、前記第１データの伝送性能への影響が異なり、例えば、非コードブックプレコーディングに基づくＭＩＭＯ伝送モードを用いる場合にはより高いプレコーディングゲインを実現できる可能性があるが、チャネル相反性が理想的ではない恐れがあるため、伝送に失敗する恐れがあるが、送信ダイバーシティ又はシングルアンテナポートのＭＩＭＯ伝送モードを用いる場合には、より安定する伝送性能を実現できる可能性があり、従って、前記端末装置が異なるＭＩＭＯ伝送モードで前記第１データを伝送することによって、前記ネットワーク装置は複数のＭＩＭＯ伝送モードから伝送品質が最も高いＭＩＭＯ伝送モードを決定でき、更に、どのＭＩＭＯ伝送モードの伝送品質が最も高いかを前記端末装置に通知することができ、これにより、前記端末装置は該ＭＩＭＯ伝送モードで後続のデータ伝送を行うことができ、それによりアップリンク伝送信頼性を向上させる。
【００６５】
選択肢として、別の実施例として、前記端末装置が異なる伝送方式で前記ネットワーク装置へ前記第１データを複数回伝送することは、
前記端末装置が異なるアンテナポートを用いて前記ネットワーク装置へ前記第１データを複数回伝送することを含む。
【００６６】
具体的には、前記端末装置は前記第１データを複数回伝送する際に異なるアンテナポートを用いてもよい。例えば、複数回の伝送が２回の伝送を含み、前記端末装置は前記第１データを１回目に伝送する際に第１アンテナポートを用いてもよく、前記第１データを２回目に伝送する際に第２アンテナポートを用いてもよく、前記第１アンテナポートと前記第２アンテナポートとが異なる。
【００６７】
なお、本願の実施例では、前記第１アンテナポートは少なくとも１つのアンテナポートを含んでもよく、前記第２アンテナポートも少なくとも１つのアンテナポートを含んでもよく、前記第１アンテナポートと前記第２アンテナポートとが異なるとは、前記第１アンテナポートに含まれる少なくとも１つのアンテナポートと前記第２アンテナポートに含まれる少なくとも１つのアンテナポートとが部分的に異なり又は全体的に異なることを意味してもよい。
【００６８】
例えば、端末装置がＮ個のアンテナポートを備える場合、前記第１データのｋ回目の伝送にあたって、前記端末装置はインデックス番号がｎであるアンテナポートによって伝送することができ、Ｎは１より大きい整数であり、ｋは１以上の整数であり、ｎ＝（ｋ−１）ｍｏｄ  Ｎであり、つまり、ｎは（ｋ−１）のＮに対するモジュロによる整数である。異なるアンテナポートは異なるビームを用いてフォーミングしてもよいし、異なるプレコーディングマトリックスを用いてプレコーディングしてもよく、又は異なるアンテナポートを異なる物理アンテナにマッピングしてもよい。
【００６９】
選択肢として、また別の実施例として、前記端末装置が異なる伝送方式で前記ネットワーク装置へ前記第１データを複数回伝送することは、
前記端末装置が異なるプレコーディングマトリックスを用いて前記ネットワーク装置へ前記第１データを複数回伝送することを含む。
【００７０】
つまり、前記端末装置が前記第１データを複数回に伝送する際に異なるプレコーディングマトリックスを用いてもよい。１つの可能な実現方式では、前記端末装置はポーリング方式で予め設定されたプレコーディングマトリックス集合から毎回前記第１データを伝送する際に用いるプレコーディングマトリックスを取得することができる。例えば、前記端末装置はＮ個のプレコーディングマトリックスを含む１つのプレコーディングマトリックス集合を予め記憶することができ、前記第１データのｋ回目の伝送にあたって、端末装置は前記プレコーディングマトリックス集合におけるインデックスがｍであるプレコーディングマトリックスを利用して前記第１データをプレコーディングすることができ、Ｎは１より大きい整数であり、ｋは１以上の整数であり、ｍ＝（ｋ−１）ｍｏｄ  Ｎである。
【００７１】
選択肢として、また別の実施例として、前記端末装置が異なる伝送方式で前記ネットワーク装置へ前記第１データを複数回伝送することは、
前記端末装置が異なるアンテナアレイブロックを用いて前記ネットワーク装置へ前記第１データを複数回伝送することを含む。
【００７２】
つまり、前記端末装置が前記第１データを複数回に伝送する際に異なるアンテナアレイブロックを用いてもよく、１つの可能な実施例では、前記端末装置はポーリング方式で複数のアンテナアレイブロックから毎回前記第１データを伝送する際に用いるアンテナアレイブロックを取得することができる。例えば、端末装置がＮ個のアンテナアレイブロックを含む場合、前記第１データのｋ回目の伝送にあたって、前記端末装置はインデックス番号がｐであるアンテナアレイブロックによって伝送することができ、Ｎは１より大きい整数であり、ｋは１以上の整数であり、ｐ＝（ｋ−１）ｍｏｄ  Ｎである。
【００７３】
１つのアンテナアレイブロックは１つのＰａｎｅｌとも称され、１つのＰａｎｅｌは１組のアンテナアレイからなり、異なるアンテナアレイブロックは独立した無線周波数モジュールに接続され、信号を独立して送信することができる。
【００７４】
選択肢として、また別の実施例として、前記端末装置が異なる伝送方式で前記ネットワーク装置へ前記第１データを複数回伝送することは、
前記端末装置が異なるビームを用いて前記ネットワーク装置へ前記第１データを複数回伝送することを含む。
【００７５】
つまり、前記端末装置が前記第１データを複数回に伝送する際に異なるビームを用いてもよい。例えば、前記端末装置は前記第１データを１回目に伝送する際に第１ビームを用いてもよく、前記第１データを２回目に伝送する際に第１ビームと異なる第２ビームを用いてもよい。
【００７６】
理解すべきのように、本願の実施例では、前記第１ビームは少なくとも１つのビームを含んでもよく、前記第２ビームも少なくとも１つのビームを含んでもよく、前記第１ビームと第２ビームとが異なるとは、前記第１ビームに含まれる少なくとも１つのビームと前記第２ビームに含まれる少なくとも１つのビームとが部分的に異なり又は全体的に異なることを意味してもよい。
【００７７】
１つの可能な実施例では、前記端末装置はポーリング方式で複数のビームから毎回前記第１データを伝送する際に用いるビームを決定することができる。例えば、端末装置はＮ個のビームを予め決定し、Ｎは１より大きい整数であり、前記Ｎ個のビームは前記端末装置がネットワーク装置へデータを伝送することに用いられてもよく、前記端末装置は前記Ｎ個のビームのうちのビームを交替で利用して前記ネットワーク装置へ前記第１データを伝送することができる。例としてのものであって制限ではないが、前記第１データのｋ回目の伝送にあたって、前記Ｎ個のビームのうちのインデックスがｑであるビームを利用して前記第１データを伝送することができ、ｑ＝（ｋ−１）ｍｏｄ  Ｎである。前記Ｎ個のビームはネットワーク装置によって端末装置に示されることができ、つまり、前記ネットワーク装置は前記端末装置に前記Ｎ個のビームを設定することができ、例えば、前記ネットワーク装置は半静的シグナリング（例えば、無線リソース制御（ＲＲＣ、Ｒａｄｉｏ  Ｒｅｓｏｕｒｃｅ  Ｃｏｎｔｒｏｌ）シグナリング）又は動的シグナリング（例えば、ＤＣＩ）によって前記端末装置に前記Ｎ個のビームを設定することができる。
【００７８】
選択肢として、また別の実施例として、前記端末装置が異なる伝送方式で前記ネットワーク装置へ前記第１データを複数回伝送することは、
前記端末装置が異なる送信電力を用いて前記ネットワーク装置へ前記第１データを複数回伝送することを含む。
【００７９】
具体的には、前記端末装置が前記第１データを複数回に伝送する際に異なる送信電力を用いてもよい。例えば、電力を節約するために、前記第１データを１回目に伝送するとき、前記端末装置は比較的に低い送信電力を用いてもよく、伝送成功の確率を向上させるために、前記第１データを２回目に伝送するとき、前記端末装置は比較的に高い送信電力を用いてもよく、つまり、最も高い送信電力に達するまで、ｋ＋１回目の伝送でｋ回目の伝送より高い送信電力を用いてもよい。
【００８０】
選択肢として、本願の実施例では、前記端末装置の第１データに対するｋ＋１回目の伝送がｋ回目の伝送より増加する送信電力の量（電力増加値又は電力ステップ値と称されてもよい）は、ネットワーク装置が前記端末装置に予め設定したものであってもよく、又は前記端末装置は所定の電力増加値又は電力ステップ値を用いてもよい。
【００８１】
選択肢として、また別の実施例として、前記端末装置が異なる伝送方式で前記ネットワーク装置へ前記第１データを複数回伝送することは、
前記端末装置が異なる復調用参照信号ＤＭＲＳシーケンスを用いて前記ネットワーク装置へ前記第１データを複数回伝送することを含む。
【００８２】
復調用参照信号（ＤＭＲＳ、ＤｅＭｏｄｕｌａｔｉｏｎ  Ｒｅｆｅｒｅｎｃｅ  Ｓｉｇｎａｌ）シーケンスはアップリンク制御及びデータチャネルに関連する復調に使用され、従って、異なるＤＭＲＳシーケンスはアップリンク復調性能に影響を与えることができる。
【００８３】
選択肢として、いくつかの実施例では、前記異なる伝送方式は第１伝送方式を含み、前記端末装置が異なる伝送方式で前記ネットワーク装置へ前記第１データを複数回伝送することは、
前記端末装置が第１伝送方式及び第１対応関係に基づき、前記第１伝送方式に対応する第１リソースプールを決定し、前記第１対応関係は複数の伝送方式と複数のリソースプールとの対応関係であり、各伝送方式に対応するリソースプールが異なることと、
前記第１リソースプールにおいて、前記第１伝送方式で前記ネットワーク装置へ前記第１データを伝送することと、を含む。
【００８４】
つまり、前記端末装置が前記第１データを複数回に伝送する際に異なるリソースプールにおいて伝送してもよい。選択肢として、前記端末装置が前記第１データを伝送する際に用いる複数の伝送方式は複数のリソースプールと対応関係を有してもよく、前記端末装置は前記第１データを伝送する際に用いる伝送方式及び前記対応関係に基づき、前記第１データを伝送する際に用いるリソースプールを決定することができ、これにより、前記伝送方式で前記第１データを伝送するとき、前記端末装置は前記リソースプールにおいて行ってもよい。例えば、前記端末装置は第１伝送方式で第１データを伝送するとき、前記第１伝送方式及び複数の伝送方式と複数のリソースプールとの対応関係に基づき、前記第１伝送方式に対応する第１リソースプールを決定することができ、それにより前記第１伝送方式で前記第１データを伝送するとき、前記第１リソースプールにおいて前記第１データを伝送してもよい。
【００８５】
選択肢として、本願の実施例では、前記対応関係は複数のＭＩＭＯ伝送モードと複数のリソースプールとの対応関係であってもよいし、複数のアンテナポートと複数のリソースプールとの対応関係であってもよく、又は複数の送信電力と複数のリソースプールとの対応関係であってもよい等。
【００８６】
選択肢として、前記端末装置が前記第１データを伝送する際に用いる複数の伝送方式と複数のリソースプールとの対応関係はネットワーク装置が端末装置に予め設定したものであってもよく、前記ネットワーク装置はリソースプールから前記第１データを検出するとき、前記リソースプール及び前記対応関係に基づいて前記端末装置がデータを伝送する際に用いる伝送方式を決定することができ、それにより決定された前記伝送方式に基づいて前記第１データを受信する。
【００８７】
上記実施例をまとめると、前記端末装置が前記第１データを複数回に伝送する際に異なるＭＩＭＯ伝送モード、又は異なるアンテナポート、又は異なるプレコーディングマトリックス、又は異なるアンテナアレイブロック、又は異なるビーム、又は異なる送信電力、又は異なるＤＭＲＳシーケンスを用いてもよい。つまり、前記第１データを複数回に伝送する際に用いるＭＩＭＯ伝送モード、アンテナポート、プレコーディングマトリックス、アンテナアレイブロック、ビーム、送信電力及びＤＭＲＳシーケンスのうちの少なくとも１つが異なる。
【００８８】
選択肢として、本願の実施例では、前記端末装置が前記複数回の伝送を行う際に用いる伝送方式は前記ネットワーク装置が前記端末装置に予め設定したものであってもよく、又は前記端末装置と前記ネットワーク装置とが予め取り決めたものであってもよく、又は前記端末装置が自主的に決定したものであってもよい。
【００８９】
Ｓ２２０では、前記端末装置は前記ネットワーク装置から送信された第１指示情報を受信し、前記第１指示情報は前記第１データの少なくとも１回の伝送のうちの１回の伝送を示すことに用いられる。
【００９０】
具体的に、前記ネットワーク装置は前記第１データの少なくとも１回の伝送の受信状況に基づいて、前記少なくとも１回の伝送から伝送品質が最も高い１回の伝送を決定することができ、前記第１指示情報は前記少なくとも１回の伝送のうちの伝送品質が最も高い１回の伝送を示すことに用いられてもよく、それにより前記端末装置は前記第１指示情報に基づき、後続のデータを伝送するための伝送パラメータを決定することができる。
【００９１】
例えば、前記第１指示情報は前記１回の伝送の前記少なくとも１回の伝送におけるインデックスを示してもよいし、前記１回の伝送に用いられたリソース又はリソースインデックスを示してもよく、又は、前記第１指示情報は前記１回の伝送の位置するタイムスロットのインデックスを示してもよく、なお、ここで、リソースは時間領域リソース、又は周波数領域リソース、又はコードリソース等であってよい。
【００９２】
選択肢として、前記Ｓ２２０は、具体的に、
前記端末装置が前記ネットワーク装置から送信された、前記第２データをスケジューリングするためのダウンリンク制御情報ＤＣＩを受信し、前記ＤＣＩは前記第１指示情報を含むことを含んでもよい。
【００９３】
例えば、前記第１データの最大伝送回数が８である場合、前記ＤＣＩにおいて３ビットの指示フィールドで前記第１指示情報を搬送し、例としてのものであって制限ではないが、３ビットの指示フィールドが０００である場合は前記第１データの１回目の伝送を示し、３ビットの指示フィールドが００１である場合は前記第１データの２回目の伝送を示す等のように設定してもよい。
【００９４】
Ｓ２３０では、前記端末装置は前記第１指示情報に基づき、第２データの伝送パラメータを決定する。
具体的に、前記端末は前記第１指示情報で示された１回の伝送に用いられた伝送パラメータを前記第２データの伝送パラメータとして決定してもよく、又は前記第１指示情報で示された１回の伝送に用いられた伝送パラメータを調整して、調整後の伝送パラメータを前記第２データの伝送パラメータとして決定してもよい等。
【００９５】
選択肢として、本願の実施例では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【００９６】
更に、Ｓ２４０では、前記端末装置は前記第２データの伝送パラメータを用いて、前記ネットワーク装置へ前記第２データを伝送する。
【００９７】
従って、本願の実施例のデータ伝送方法において、前記端末装置はネットワーク装置へ第１データを少なくとも１回伝送することができ、これにより、前記ネットワーク装置は前記少なくとも１回の伝送の受信状況に基づいて、前記少なくとも１回の伝送から伝送品質が最も高い１回の伝送を決定し、次に前記ネットワーク装置は前記ネットワーク装置の決定した前記１回の伝送を示すための第１指示情報を前記端末装置に送信することができ、これにより、前記端末装置は前記第１指示情報に基づき、第２データの伝送パラメータを決定し、更に前記第２データの伝送パラメータを用いて前記第２データの伝送を行うことができ、それによりアップリンク伝送信頼性を向上させることができる。
【００９８】
以上は図２を参照しながら端末装置の観点から本願の実施例に係るデータ伝送方法を詳しく説明したが、以下に図３を参照しながらネットワーク装置の観点から本願の実施例に係るデータ伝送方法を詳しく説明する。理解すべきのように、ネットワーク装置側の説明は端末装置側の説明に対応し、類似する説明は以上の説明を参照してもよく、重複を避けるため、ここでその詳細な説明は省略する。
【００９９】
図３は本願の別の実施例に係るデータ伝送方法の模式的なフローチャートであり、図３に示すように、前記方法３００は、
ネットワーク装置は端末装置から少なくとも１回伝送した第１データを受信するＳ３１０と、
前記ネットワーク装置は前記端末装置に第１指示情報を送信し、前記第１指示情報は前記第１データの少なくとも１回の伝送のうちの１回の伝送を示すことに用いられ、前記第１指示情報は前記端末装置が第２データの伝送パラメータを決定することに用いられるＳ３２０と、
前記ネットワーク装置は前記端末装置から前記第２データの伝送パラメータを用いて送信した前記第２データを受信するＳ３３０と、を含む。
【０１００】
選択肢として、いくつかの実施例では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【０１０１】
選択肢として、いくつかの実施例では、前記第１指示情報は、具体的に、前記１回の伝送の前記少なくとも１回の伝送におけるインデックス、又は前記１回の伝送に用いられたリソース又はリソースインデックスを示すことに用いられる。
【０１０２】
選択肢として、いくつかの実施例では、前記第１指示情報は、具体的に、前記ネットワーク装置の決定した前記少なくとも１回の伝送のうちの伝送品質が最も高い１回の伝送を示すことに用いられる。
【０１０３】
従って、本願の実施例のデータ伝送方法において、前記ネットワーク装置は端末装置から少なくとも１回伝送された第１データを受信し、前記少なくとも１回の伝送の受信状況に基づいて、前記少なくとも１回の伝送から伝送品質が最も高い１回の伝送を決定し、次に前記ネットワーク装置の決定した前記１回の伝送を示すための第１指示情報を前記端末装置に送信することができ、これにより、前記端末装置は前記第１指示情報に基づき、第２データの伝送パラメータを決定し、更に前記第２データの伝送パラメータを用いて前記ネットワーク装置へ前記第２データを伝送することができ、それによりアップリンク伝送信頼性を向上させることができる。
【０１０４】
以上は図２及び図３を参照しながら本願の方法実施例を詳しく説明したが、以下に図４〜図７を参照しながら本願の装置実施例を詳しく説明し、理解すべきのように、装置実施例は方法実施例に対応し、類似する説明は方法実施例を参照してもよい。
【０１０５】
図４には本願の実施例に係る端末装置４００の模式的なブロック図を示す。図４に示すように、該端末装置４００は、
ネットワーク装置へ第１データを少なくとも１回伝送し、前記ネットワーク装置から送信された、前記第１データの少なくとも１回の伝送のうちの１回の伝送を示すための第１指示情報を受信することに用いられる通信モジュール４１０と、
前記第１指示情報に基づき、第２データの伝送パラメータを決定することに用いられる決定モジュール４２０と、を備える。
前記通信モジュール４１０は、更に、前記第２データの伝送パラメータを用いて、前記ネットワーク装置へ前記第２データを伝送することに用いられる。
【０１０６】
選択肢として、いくつかの実施例では、前記第１データは前記端末装置の自主的に送信したデータである。
【０１０７】
選択肢として、いくつかの実施例では、前記通信モジュール４１０は、更に、
異なる伝送方式で前記ネットワーク装置へ前記第１データを複数回伝送することに用いられる。
【０１０８】
選択肢として、いくつかの実施例では、前記通信モジュール４１０は、具体的に、
異なる多入力多出力ＭＩＭＯ伝送モードで前記ネットワーク装置へ前記第１データを複数回伝送することに用いられる。
【０１０９】
選択肢として、いくつかの実施例では、前記通信モジュール４１０は、更に、
異なるアンテナポートを用いて前記ネットワーク装置へ前記第１データを複数回伝送することに用いられる。
【０１１０】
選択肢として、いくつかの実施例では、前記通信モジュール４１０は、更に、
異なるプレコーディングマトリックスを用いて前記ネットワーク装置へ前記第１データを複数回伝送することに用いられる。
【０１１１】
選択肢として、いくつかの実施例では、前記通信モジュール４１０は、更に、
異なるアンテナアレイブロックを用いて前記ネットワーク装置へ前記第１データを複数回伝送することに用いられる。
【０１１２】
選択肢として、いくつかの実施例では、前記通信モジュール４１０は、更に、
異なるビームを用いて前記ネットワーク装置へ前記第１データを複数回伝送することに用いられる。
【０１１３】
選択肢として、いくつかの実施例では、前記通信モジュール４１０は、更に、
異なる送信電力を用いて前記ネットワーク装置へ前記第１データを複数回伝送することに用いられる。
【０１１４】
選択肢として、いくつかの実施例では、前記通信モジュール４１０は、更に、
異なる復調用参照信号ＤＭＲＳシーケンスを用いて前記ネットワーク装置へ前記第１データを複数回伝送することに用いられる。
【０１１５】
選択肢として、いくつかの実施例では、前記異なる伝送方式は第１伝送方式を含み、前記決定モジュール４２０は、更に、
第１伝送方式及び第１対応関係に基づき、前記第１伝送方式に対応する第１リソースプールを決定し、前記第１対応関係は複数の伝送方式と複数のリソースプールとの対応関係であり、各伝送方式に対応するリソースプールが異なることに用いられる。
前記通信モジュール４１０は、更に、前記第１リソースプールにおいて、前記第１伝送方式で前記ネットワーク装置へ前記第１データを伝送することに用いられる。
【０１１６】
選択肢として、いくつかの実施例では、前記端末装置が前記複数回の伝送を行う際に用いる伝送方式は前記ネットワーク装置が前記端末装置に予め設定したものであり、又は前記端末装置と前記ネットワーク装置とが予め取り決めたものであり、又は前記端末装置が決定したものである。
【０１１７】
選択肢として、いくつかの実施例では、前記通信モジュール４１０は、具体的に、
前記ネットワーク装置から送信された、前記第２データをスケジューリングするためのダウンリンク制御情報ＤＣＩを受信し、前記ＤＣＩは前記第１指示情報を含むことに用いられる。
【０１１８】
選択肢として、いくつかの実施例では、前記決定モジュール４２０は、具体的に、
前記第１指示情報で示された前記１回の伝送に用いられた伝送パラメータを前記第２データの伝送パラメータとして決定することに用いられる。
【０１１９】
選択肢として、いくつかの実施例では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【０１２０】
選択肢として、いくつかの実施例では、前記第１指示情報は、具体的に、前記１回の伝送の前記少なくとも１回の伝送におけるインデックス、又は前記１回の伝送に用いられたリソース又はリソースインデックスを示すことに用いられる。
【０１２１】
理解すべきのように、本願の実施例に係る端末装置４００は本願の方法実施例における端末装置に対応してもよく、且つ端末装置４００における各ユニットの上記及び他の操作及び／又は機能はそれぞれ図２に示される方法２００における端末装置の対応プロセスを実現するためのものであり、簡潔のため、ここで詳細な説明は省略する。
【０１２２】
図５には本願の実施例に係るネットワーク装置５００の模式的なブロック図を示す。図５に示すように、該ネットワーク装置５００は、
端末装置から少なくとも１回伝送した第１データを受信し、前記端末装置に第１指示情報を送信し、及び前記端末装置が前記第２データの伝送パラメータを用いて送信した前記第２データを受信することに用いられる通信モジュール５１０を備え、前記第１指示情報は前記第１データの少なくとも１回の伝送のうちの１回の伝送を示すことに用いられ、前記第１指示情報は前記端末装置が第２データの伝送パラメータを決定することに用いられる。
【０１２３】
選択肢として、いくつかの実施例では、前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含む。
【０１２４】
選択肢として、いくつかの実施例では、前記第１指示情報は、具体的に、前記１回の伝送の前記少なくとも１回の伝送におけるインデックス、又は前記１回の伝送に用いられたリソース又はリソースインデックスを示すことに用いられる。
【０１２５】
選択肢として、いくつかの実施例では、前記第１指示情報は、具体的に、前記ネットワーク装置の決定した前記少なくとも１回の伝送のうちの伝送品質が最も高い１回の伝送を示すことに用いられる。
【０１２６】
理解すべきのように、本願の実施例に係るネットワーク装置５００は本願の方法実施例におけるネットワーク装置に対応してもよく、且つネットワーク装置５００における各ユニットの上記及び他の操作及び／又は機能はそれぞれ図３に示される方法３００におけるネットワーク装置の対応プロセスを実現するためのものであり、簡潔のため、ここで詳細な説明は省略する。
【０１２７】
図６に示すように、本願の実施例は更に端末装置６００を提供し、該端末装置６００は図４における端末装置４００であってもよく、図２における方法２００に対応する端末装置の内容を実行することに用いられることができる。該装置６００は入力インターフェース６１０、出力インターフェース６２０、プロセッサ６３０及びメモリ６４０を備え、該入力インターフェース６１０、出力インターフェース６２０、プロセッサ６３０及びメモリ６４０はバスシステムによって接続されてもよい。前記メモリ６４０はプログラム、命令又はコードを記憶することに用いられる。前記プロセッサ６３０は、前記メモリ６４０におけるプログラム、命令又はコードを実行して入力インターフェース６１０が信号を受信するのを制御し、出力インターフェース６２０が信号を送信するのを制御し、そして前述の方法実施例における操作を行うことに用いられる。
【０１２８】
理解すべきのように、本願の実施例では、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサは更にいかなる通常のプロセッサ等であってもよい。
【０１２９】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１３０】
実現過程において、上記方法の各内容はプロセッサ６３０におけるハードウェアの集積論理回路又はソフトウェア形式の命令によって行われてもよい。本願の実施例に開示される方法の内容は、ハードウェアプロセッサで実行して実現し、又はプロセッサにおけるハードウェア及びソフトウェアモジュールの組み合わせで実行して実現するように直接具現化されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０がメモリ６４０における情報を読み取り、そのハードウェアと組み合わせて上記方法の内容を行う。重複を避けるため、ここで詳細な説明は省略する。
【０１３１】
１つの具体的な実施形態では、図４における通信モジュール４１０は図６における入力インターフェース６１０及び出力インターフェース６２０で実現されてもよく、図４における決定モジュール４２０は図６におけるプロセッサ６３０で実現されてもよい。
【０１３２】
図７に示すように、本願の実施例は更にネットワーク装置７００を提供し、該ネットワーク装置７００は図５におけるネットワーク装置５００であってもよく、図３における方法３００に対応するネットワーク装置の内容を実行することに用いられることができる。該装置７００は入力インターフェース７１０、出力インターフェース７２０、プロセッサ７３０及びメモリ７４０を備え、該入力インターフェース７１０、出力インターフェース７２０、プロセッサ７３０及びメモリ７４０はバスシステムによって接続されてもよい。前記メモリ７４０はプログラム、命令又はコードを記憶することに用いられる。前記プロセッサ７３０は、前記メモリ７４０におけるプログラム、命令又はコードを実行して入力インターフェース７１０が信号を受信するのを制御し、出力インターフェース７２０が信号を送信するのを制御し、そして前述の方法実施例における操作を行うことに用いられる。
【０１３３】
理解すべきのように、本願の実施例では、該プロセッサ７３０は中央処理装置（ＣＰＵ、Ｃｅｎｔｒａｌ  Ｐｒｏｃｅｓｓｉｎｇ  Ｕｎｉｔ）であってもよく、該プロセッサ７３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサは更にいかなる通常のプロセッサ等であってもよい。
【０１３４】
該メモリ７４０は読み出し専用メモリ及びランダムアクセスメモリを含んでもよく、且つプロセッサ７３０に命令及びデータを提供する。メモリ７４０の一部は更に不揮発性ランダムアクセスメモリを含んでもよい。例えば、メモリ７４０に更に装置タイプの情報が記憶されてもよい。
【０１３５】
実現過程において、上記方法の各内容はプロセッサ７３０におけるハードウェアの集積論理回路又はソフトウェア形式の命令によって行われてもよい。本願の実施例に開示される方法の内容は、ハードウェアプロセッサで実行して実現し、又はプロセッサにおけるハードウェア及びソフトウェアモジュールの組み合わせで実行して実現するように直接具現化されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ７４０に位置し、プロセッサ７３０がメモリ７４０における情報を読み取り、そのハードウェアと組み合わせて上記方法の内容を行う。重複を避けるため、ここで詳細な説明は省略する。
【０１３６】
１つの具体的な実施形態では、図５における通信モジュール５１０は図７における入力インターフェース７１０及び出力インターフェース７２０で実現されてもよい。
【０１３７】
当業者であれば意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアで実行するかそれともソフトウェア方式で実行するかは、技術案の特定応用及び設計制約条件によって決定される。当業者は各特定応用に対して異なる方法で説明される機能を実現することができるが、このような実現は本願の範囲を超えるものと見なされるべきではない。
【０１３８】
当業者であれば明確に理解できるように、説明を容易且つ簡単にするために、上記説明されたシステム、装置及びユニットの具体的な動作過程は、前述の方法実施例における対応過程を参照してもよく、ここで詳細な説明は省略する。
【０１３９】
本願に係るいくつかの実施例において、理解できるように、開示されるシステム、装置及び方法は他の方式で実現されてもよい。例えば、以上に説明された装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４０】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布されてもよい。実際の必要に応じて、その一部又は全部のユニットを選択して本実施例案の目的を実現してもよい。
【０１４１】
また、本願の各実施例では、各機能ユニットは１つの処理ユニットに統合されてもよく、各ユニットは独立して物理的に存在してもよく、２つ又は２つ以上のユニットが１つのユニットに統合されてもよい。
【０１４２】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４３】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2020532148.tif 000003
【図２】
2020532148.tif 000004
【図３】
2020532148.tif 000005
【図４】
2020532148.tif 000006
【図５】
2020532148.tif 000007
【図６】
2020532148.tif 000008
【図７】
2020532148.tif 000009
【手続補正書】
【提出日】令和2年6月23日(2020.6.23)
【手続補正１】
【補正対象書類名】明細書
【補正対象項目名】００４４
【補正方法】変更
【補正の内容】
【００４４】
図１には本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地理的区域に通信カバレッジを提供することができ、且つ該カバレッジ区域内の端末装置（例えば、ＵＥ）と通信することができる。選択肢として、該ネットワーク装置１１０ＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側機器又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正２】
【補正対象書類名】特許請求の範囲
【補正対象項目名】全文
【補正方法】変更
【補正の内容】
【特許請求の範囲】
【請求項１】
データ伝送方法であって、
端末装置はネットワーク装置へ第１データを少なくとも１回伝送することと、
前記端末装置は前記ネットワーク装置から送信された第１指示情報を受信し、前記第１指示情報は前記第１データの少なくとも１回の伝送のうちの１回の伝送を示すことに用いられることと、
前記端末装置は前記第１指示情報に基づき、第２データの伝送パラメータを決定することと、
前記端末装置は前記第２データの伝送パラメータを用いて、前記ネットワーク装置へ前記第２データを伝送することと、を含むことを特徴とするデータ伝送方法。
【請求項２】
前記第１データは前記端末装置の自主的に送信したデータであることを特徴とする請求項１に記載の方法。
【請求項３】
前記端末装置がネットワーク装置へ第１データを少なくとも１回伝送することは、
前記端末装置が異なる伝送方式で前記ネットワーク装置へ前記第１データを複数回伝送することを含むことを特徴とする請求項１又は２に記載の方法。
【請求項４】
前記端末装置が異なる伝送方式で前記ネットワーク装置へ前記第１データを複数回伝送することは、
前記端末装置が異なる多入力多出力ＭＩＭＯ伝送モードで前記ネットワーク装置へ前記第１データを複数回伝送すること、
或いは、 
前記端末装置が異なるアンテナポートを用いて前記ネットワーク装置へ前記第１データを複数回伝送すること、
或いは、
前記端末装置が異なるプレコーディングマトリックスを用いて前記ネットワーク装置へ前記第１データを複数回伝送すること、
或いは、
前記端末装置が異なるアンテナアレイブロックを用いて前記ネットワーク装置へ前記第１データを複数回伝送すること、
或いは、
前記端末装置が異なるビームを用いて前記ネットワーク装置へ前記第１データを複数回伝送すること、
或いは、
前記端末装置が異なる送信電力を用いて前記ネットワーク装置へ前記第１データを複数回伝送すること、
或いは、
前記端末装置が異なる復調用参照信号ＤＭＲＳシーケンスを用いて前記ネットワーク装置へ前記第１データを複数回伝送することを含むことを特徴とする請求項３に記載の方法。
【請求項５】
前記端末装置が前記ネットワーク装置から送信された第１指示情報を受信することは、
前記端末装置が前記ネットワーク装置から送信された、前記第１指示情報を含む前記第２データをスケジューリングするためのダウンリンク制御情報ＤＣＩを受信することを含むことを特徴とする請求項１〜４のいずれか１項に記載の方法。
【請求項６】
前記端末装置が前記第１指示情報に基づき、第２データの伝送パラメータを決定することは、
前記端末装置が前記第１指示情報で示された前記１回の伝送に用いられた伝送パラメータを前記第２データの伝送パラメータとして決定することを含むことを特徴とする請求項１〜５のいずれか１項に記載の方法。
【請求項７】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項１〜６のいずれか１項に記載の方法。
【請求項８】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項１〜７のいずれか１項に記載の方法。
【請求項９】
端末装置であって、
ネットワーク装置へ第１データを少なくとも１回伝送し、前記ネットワーク装置から送信された、前記第１データの少なくとも１回の伝送のうちの１回の伝送を示すための第１指示情報を受信することに用いられる通信モジュールと、
前記第１指示情報に基づき、第２データの伝送パラメータを決定することに用いられる決定モジュールと、を備え、
前記通信モジュールは、更に、前記第２データの伝送パラメータを用いて、前記ネットワーク装置へ前記第２データを伝送することに用いられることを特徴とする端末装置。
【請求項１０】
前記第１データは前記端末装置の自主的に送信したデータであることを特徴とする請求項９に記載の端末装置。
【請求項１１】
前記通信モジュールは、更に、
異なる伝送方式で前記ネットワーク装置へ前記第１データを複数回伝送することに用いられることを特徴とする請求項９又は１０に記載の端末装置。
【請求項１２】
前記通信モジュールは、具体的に、
異なる多入力多出力ＭＩＭＯ伝送モードで前記ネットワーク装置へ前記第１データを複数回伝送すること、
或いは、
異なるアンテナポートを用いて前記ネットワーク装置へ前記第１データを複数回伝送すること、
或いは、
異なるプレコーディングマトリックスを用いて前記ネットワーク装置へ前記第１データを複数回伝送すること、
或いは、
異なるアンテナアレイブロックを用いて前記ネットワーク装置へ前記第１データを複数回伝送すること、
或いは、
異なるビームを用いて前記ネットワーク装置へ前記第１データを複数回伝送すること、
或いは、
異なる送信電力を用いて前記ネットワーク装置へ前記第１データを複数回伝送すること、
或いは、
異なる復調用参照信号ＤＭＲＳシーケンスを用いて前記ネットワーク装置へ前記第１データを複数回伝送することに用いられることを特徴とする請求項１１に記載の端末装置。
【請求項１３】
前記決定モジュールは、具体的に、
前記第１指示情報で示された前記１回の伝送に用いられた伝送パラメータを前記第２データの伝送パラメータとして決定することに用いられることを特徴とする請求項９〜１２のいずれか１項に記載の端末装置。
【請求項１４】
前記伝送パラメータは、
時間領域リソース、周波数領域リソース、コード領域リソース、ＤＭＲＳシーケンス、ＭＩＭＯ伝送モード、アンテナポート、プレコーディングマトリックス、アンテナアレイブロック、ビーム及び送信電力のうちの少なくとも１つを含むことを特徴とする請求項９〜１３のいずれか１項に記載の端末装置。
【請求項１５】
前記第１指示情報は、具体的に、前記１回の伝送の前記少なくとも１回の伝送におけるインデックス、又は前記１回の伝送に用いられたリソース又はリソースインデックスを示すことに用いられることを特徴とする請求項９〜１４のいずれか１項に記載の端末装置。
【国際調査報告】
2020532148.tif 000010
2020532148.tif 000011
2020532148.tif 000012
2020532148.tif 000013